(57)【要約】【課題】汚れが溜まる部位を少なくして、清潔な状態を保つことができる温度計を提供する。【解決手段】把手１１、センサ本体１２、及び温度検知素子１３を備えて、把手１１にＲ方向に貫通した貫通孔２１が形成されて、センサ本体１２の末端に嵌合する抜止本体２３を備え、抜止本体２３は係止部材２４と弾性部材２５とを有して、抜止本体２３が把手１１の筒内に挿入された状態でその把手１１に対して入れ子構造を成すと共に、係止部材２４が抜止本体２３のＲ方向外側に突出して貫通孔２１に挿入して抜止本体２３を把手１１に固定する構成にした。【選択図】図１
2018205049.tif 000002
【特許請求の範囲】
【請求項１】
筒状の把手と、この把手の先端から張り出した棒状のセンサ本体と、このセンサ本体の先端に測温部が配置された温度検知素子とを備えた温度計において、
前記把手は、筒径方向に貫通した貫通孔が形成されて、
前記センサ本体の末端に嵌合する抜止本体を備え、
前記抜止本体は、この抜止本体の筒径方向外側に突出する係止部材とこの係止部材を前記抜止本体に連結する弾性部材とを有して、
前記抜止本体が前記把手の筒内に挿入された状態で、前記抜止本体が前記把手に対して入れ子構造を成すと共に、前記係止部材が前記貫通孔に挿入して前記抜止本体を前記把手に固定することを特徴とする温度計。
【請求項２】
前記弾性部材の弾性変形により前記係止部材が前記抜止本体の筒径方向内側に引っ込んで前記抜止本体が前記把手に対して抜き差し自在の状態なり、前記弾性部材の弾性変形の解除により前記係止部材が前記抜止本体の筒径方向外側に突出して前記抜止本体が前記把手に対して固定可能な状態になる請求項１に記載の温度計。
【請求項３】
前記弾性部材は、前記把手の筒軸方向に延在する板バネで構成されて、
前記係止部材は、その弾性部材の筒軸方向の中央部に配置された請求項２に記載の温度計。
【請求項４】
前記抜止本体の先端側は、前記把手の筒周方向の全域に渡って筒径方向外側に突出して、前記抜止本体が前記把手に固定されたときにその把手の先端を覆う請求項１〜３のいずれか１項に記載の温度計。
【請求項５】
前記センサ本体の末端に接合された嵌合部材を備え、前記抜止本体は、前記把手の筒周方向に複数に分割されてなり、前記嵌合部材の末端側で互いに組み合わさってその嵌合部材に嵌合する請求項１〜４のいずれか１項に記載の温度計。
【請求項６】
前記センサ本体と前記嵌合部材とが金属で構成されて、前記センサ本体と前記嵌合部材の末端側の部位との間に硬蝋が介在し、この硬蝋により前記センサ本体と前記嵌合部材とが一体的に接合された請求項５に記載の温度計。
【発明の詳細な説明】
【技術分野】
【０００１】
本発明は、温度計に関し、より詳細には、清潔な状態を保つ温度計に関する。
【背景技術】
【０００２】
食品の温度を管理する温度計として、筐体の先端部分に配置された棒状のセンサ部を食品に差し込み、その食品の温度を計測するものが提案されている（例えば、特許文献１参照）。
【先行技術文献】
【特許文献】
【０００３】
【特許文献１】特開２００１−３３３１６号公報
【発明の概要】
【発明が解決しようとする課題】
【０００４】
ところで、食品の温度を管理する温度計は、可能な限り清潔な状態を保つために、汚れが溜まる部位を少なくすることが望ましい。しかしながら、特許文献１に記載のような棒状に形成されたセンサ部は、筐体に挿入された状態で、筐体の外側からネジを締めることにより筐体に固定されている。それ故、筐体の外表面にはネジ穴が形成されることになり、そのネジ穴に汚れが溜まる。このように、棒状のセンサ部位をネジにより筐体に固定する構造では、頻繁に温度計を洗浄する必要があった。
【０００５】
本発明の目的は、汚れが溜まる部位を少なくして、清潔な状態を保つことができる温度計を提供することである。
【課題を解決するための手段】
【０００６】
上記の目的を達成する本発明の温度計は、筒状の把手と、この把手の先端から張り出した棒状のセンサ本体と、このセンサ本体の先端に測温部が配置された温度検知素子とを備えた温度計において、前記把手は、筒径方向に貫通した貫通孔が形成されて、前記センサ本体の末端に嵌合する抜止本体を備え、前記抜止本体は、この抜止本体の筒径方向外側に突出する係止部材とこの係止部材を前記抜止本体に連結する弾性部材とを有して、前記抜止本体が前記把手の筒内に挿入された状態で、前記抜止本体が前記把手に対して入れ子構造を成すと共に、前記係止部材が前記貫通孔に挿入して前記抜止本体を前記把手に固定することを特徴とする。
【発明の効果】
【０００７】
本発明によれば、係止部材が把手に形成された貫通孔に挿入して把手に対して入れ子構造となる抜止本体を把手に固定することで、ネジを用いずに、把手の先端からセンサ本体が張り出した状態の温度計を組み立てることができる。これにより、把手の外表面に形成される穴や溝を小さくするには有利になり、把手自体に汚れが溜まらなくなって、常時、清潔な状態を保つことができる。
【図面の簡単な説明】
【０００８】
【図１】本発明の温度計の実施形態を例示する斜視図である。
【図２】図１の温度計の縦断面図であり、温度計の組み立て途中の状態を示す。
【図３】図１の温度計の縦断面図であり、温度計の組み立てが完了した状態を示す。
【図４】図１の温度計の把手を例示する斜視図である。
【図５】図１の温度計のセンサ本体と嵌合部材とを例示する斜視図である。
【図６】図１の温度計の抜止本体を例示する斜視図である。
【図７】図１の温度計の係止部材と弾性部材とを例示する斜視図である。
【図８】図１の温度計の保護部材を例示する斜視図である。
【発明を実施するための形態】
【０００９】
以下、本発明の温度計の実施形態について、図面を参照して説明する。本明細書において、ｘ方向は把手１１の筒軸方向を、ｙ方向はｘ方向に直交する把手１１の筒径方向のうちの左右方向を、ｚ方向はｘ方向に直交する把手１１の筒径方向のうちの上下方向を、それぞれ示している。なお、Ｒ方向は上下左右を区別せずに筒径方向を示しており、θ方向は筒周方向を示している。
【００１０】
図１に例示するように、実施形態の温度計１０は、把手１１、センサ本体１２、温度検知素子１３、信号線１４、及びコネクタ１５を備えていて、コネクタ１５が図示しない計測器に差し込まれる。この温度計１０は、把手１１を把持した計測者がセンサ本体１２の先端を食品に差し込んで食品の温度を計測するものである。
【００１１】
温度計１０は、貫通孔２１、嵌合部材２２、抜止本体２３、係止部材２４、弾性部材２５、及び保護部材２６を有している。温度計１０は、抜止本体２３が把手１１の筒内に挿入された状態で、その抜止本体２３が把手１１に対する入れ子構造を成すと共に、係止部材２４が貫通孔２１に挿入して抜止本体２３を把手１１に固定している。
【００１２】
図２に例示するように、温度計１０は、弾性部材２５の弾性変形により係止部材２４が抜止本体２３のｚ方向下側に引っ込んで抜止本体２３の把手１１に対して抜き差し自在の状態になる。
【００１３】
図３に例示するように、温度計１０は、弾性部材２５の弾性変形の解除により係止部材２４が抜止本体２３のｚ方向上側に突出して貫通孔２１に挿入し、抜止本体２３が把手１１に対して固定する状態になる。
【００１４】
温度計１０は、各部材どうしが連結することで、ｘ方向への抜け止めとして機能したり、θ方向への回り止めとして機能したりする連結部３１〜３７を有している。
【００１５】
図４に例示するように、把手１１は、ポリアミド合成樹脂で構成されていて、ｘ方向の両端が開口した筒状に形成されている。把手１１のＲ方向内外の両筒面は、テーパーが付けられており、外径及び内径の両方が先端から末端に向って徐々に縮径している。
【００１６】
把手１１は、先端から末端に向って順に、第一連結部３１ａ、第二連結部３２ａ、貫通孔２１、及び第三連結部３３ａを有している。第一連結部３１ａは把手１１の先端に形成された端面である。第二連結部３２ａは、先端部の内筒面のＲ方向に対向する二つの部位のそれぞれをｚ方向外側に向って窪ませて形成されている。貫通孔２１は、ｘ方向中央部に配置されて把手１１をｚ方向上方に貫通している。第三連結部３３ａは、末端の開口をＲ方向内側に窄めて形成されている。
【００１７】
図５に例示するように、センサ本体１２は、ステンレス鋼などの金属で構成されていて、ｘ方向に延在する棒状に形成されている。センサ本体１２は、先端が尖り、末端の開口部から温度検知素子１３の素線が導出されている。また、センサ本体１２の末端側には嵌合部材２２が接合されている。センサ本体１２としては、一方向に張り出したものの他に、Ｌ字状のものなども例示される。
【００１８】
温度検知素子１３としては、熱電対が例示され、測温部１６は、異なる二つの金属線の接点で構成されている。温度検知素子１３としては、白金などの金属で構成された測温抵抗体も例示される。信号線１４は、温度検知素子１３の素線や補償導線が被覆材で被覆された線である。
【００１９】
嵌合部材２２は、ステンレス鋼などの金属で構成されていて、ｘ方向の両端が開口した筒状に形成されている。嵌合部材２２は、先端に形成された第四連結部３４ａと、中途位置に形成された第五連結部３５ａと、を有している。
【００２０】
第四連結部３４ａは、θ方向の全周に渡って筒状の本体からＲ方向外側に突出すると共に、ｘ方向の先端から末端に向って外径が拡径していて、Ｒ方向に見てキノコ状を成している。
【００２１】
第五連結部３５ａは、筒状の本体からＲ方向外側に突出した複数の板状の部材から構成されていて、複数の板状の部材は、ｘ方向に並んで配置されている。第五連結部３５ａは、ｘ方向に見てθ方向への回り止めとなる形状に形成されている。具体的に、第五連結部３５ａは、ｙ方向左右側に比してｚ方向上下側の両方により長く突出した板状に形成されている。回り止めとなる形状としては、実施形態の形状の他に、楕円形、長方形、円形の一部が筒径方向に突出した形状などが例示される。
【００２２】
センサ本体１２と嵌合部材２２とは、蝋付けにより接合されている。つまり、センサ本体１２と嵌合部材２２とが金属で構成されて、センサ本体１２と嵌合部材２２の末端側の部位との間に硬蝋２７が介在し、この硬蝋２７によりセンサ本体１２と嵌合部材２２とが一体的に接合されている。硬蝋２７としては、銀蝋、金蝋、銅蝋、黄銅蝋などが例示され、好ましくは銀蝋が挙げられる。
【００２３】
図６に例示するように、抜止本体２３は、ポリアミド合成樹脂で構成されていて、θ方向に複数に分割されていて、互いに組み合わさって筒状を成している。抜止本体２３は、半割に分割することが好ましく、半割にすることで同じ金型から製造することが可能になり、製造コストの低減には有利になる。
【００２４】
抜止本体２３のＲ方向外筒面は、把手１１と同様にテーパーが付けられている。複数の抜止本体２３が組み合わされたときに、把手１１に対しての入れ子構造となる筒状の部位は、その外径が先端から末端に向って徐々に縮径している。
【００２５】
抜止本体２３は、把手１１の筒内に挿入された状態で把手１１に対する入れ子構造を成し、抜止本体２３の外筒面が複数の抜止本体２３が組み合わされて把手１１の筒内に挿入されたときに、把手１１の内筒面と略隙間なく密着することが望ましい。つまり、抜止本体２３の外筒面のテーパー角と、把手１１の内筒面のテーパー角とを等しくすることが望ましい。
【００２６】
このように、抜止本体２３が入れ子構造を成し、抜止本体２３の外筒面と把手１１の内筒面とを略隙間なく密着させることで、使用時のセンサ本体１２の弛緩を低減するには有利になる。また、把手１１のｘ方向の末端から抜止本体２３が抜けることを確実に防止するには有利になる。
【００２７】
抜止本体２３の外筒面のｚ方向中央部には、収納部２８が形成されている。収納部２８は、ｘ方向に延在した長穴２８ａと、その長穴の両端部の一段内側から中央部に向って突出した段差２８ｂとから構成されている。長穴２８ａは抜止本体２３の外筒面を貫通している。
【００２８】
抜止本体２３は、先端側から末端側に向って順に、第四連結部３４ｂ、第五連結部３５ｂ、第一連結部３１ｂ、第二連結部３２ｂ、第六連結部３６、及び第七連結部３７ａを有している。
【００２９】
第四連結部３４ｂは、抜止本体２３の先端に形成された端面である。第五連結部３５ｂは、抜止本体２３のｘ方向の先端側の内筒面に形成されていて、θ方向に延在してＲ方向外側に向って窪んだ複数の溝で形成されている。この溝は、嵌合部材２２に形成された第五連結部３５ａと嵌合する形状を成している。第一連結部３１ｂは、θ方向の全周に渡って筒状の本体からＲ方向外側に突出すると共に、ｘ方向の先端から末端に向って外径が拡径していて、Ｒ方向に見てキノコ状を成している。第二連結部３２ｂは、先端部の外筒面のＲ方向に対向する二つの部位のそれぞれをｚ方向外側に向って突出させて形成されている。第六連結部３６は、抜止本体２３のＲ方向内側に向って突出していて、複数の抜止本体２３が互いに組み合わさったときに、Ｒ方向に延在する棒状を成している。第七連結部３７ａは、抜止本体２３の末端に形成されていて、末端から先端に向ってｘ方向に窪ませて形成されている。
【００３０】
図７に例示するように、係止部材２４と弾性部材２５とは、ポリアミド合成樹脂で構成されている。係止部材２４はｚ方向上方に突出していて、弾性部材２５を介して抜止本体２３に連結している。係止部材２４は弾性部材２５のｘ方向中央部からｚ方向上側に向って突出している。係止部材２４は、先端に比して根本が拡径している。係止部材２４の先端は、把手１１に形成された貫通孔２１に挿抜可能な形状を成していて、根本は貫通孔２１に挿入不能な形状を成している。弾性部材２５はｘ方向に延在する板バネで構成されて、ｚ方向上下に弾性変形可能に構成されている。なお、係止部材２４及び弾性部材２５を金属で構成してもよい。
【００３１】
弾性部材２５がポリアミド合成樹脂で構成された場合は、弾性部材２５のｘ方向の外側から中央部に向ってｚ方向の厚みを徐々に厚くして剛性を高めることが望ましい。また、弾性部材２５の剛性を高めることに伴って減少する弾性変形量を補うために、弾性部材２５に貫通孔２９を形成することが望ましい。貫通孔２９は、ｚ方向に貫通した孔であり、弾性部材２５のｙ方向の中央部で、且つ係止部材２４のｘ方向の両側に配置されている。
【００３２】
図８に例示するように、保護部材２６は、エラストマで構成されていて、信号線１４を覆う筒状に形成されている。保護部材２６は、その末端部が把手１１の末端から突出している。保護部材２６は、先端から末端に向って、第七連結部３７ｂ及び第二連結部３２ｂを有している。
【００３３】
第七連結部３７ｂは、保護部材２６の先端に形成されていて、先端からｘ方向に突出させて形成されている。第二連結部３３ｂは筒状の本体からＲ方向に突出させて形成されている。
【００３４】
図２、図３を参照しながら、温度計１０の組み立て方法について説明する。まず、センサ本体１２の先端に温度検知素子１３の測温部１６を配置して接合する。次いで、センサ本体１２の末端側を嵌合部材２２に挿入して、銀蝋付けによりセンサ本体１２と嵌合部材２２とを接合する。このとき、センサ本体１２と嵌合部材２２とを、センサ本体１２の末端側で銀蝋付けにより接合することが好ましい。センサ本体１２の末端側で銀蝋付けすることにより、センサ本体１２の先端側が銀蝋付けの温度によって鈍ることを回避するには有利になる。
【００３５】
次いで、嵌合部材２２の末端側に抜止本体２３の先端側が被るようにして、抜止本体２
３を互いに組み合わせる。抜止本体２３を互いに組み合わせるときに、信号線１４を第六連結部３６に巻き回す。
【００３６】
抜止本体２３を組み合わせて嵌合部材２２に嵌合することで、第四連結部３４（３４ａ、３４ｂ）と第五連結部３５（３５ａ、３５ｂ）とがｘ方向の抜け止めとして機能して、抜止本体２３からのセンサ本体１２の抜き差しを防ぐ。特に、第四連結部３４及び第五連結部３５により、嵌合部材２２の末端側と抜止本体２３の先端側とがｘ方向に並んだ複数の凸凹で連結するので、センサ本体１２を食品に強く差し込んでもセンサ本体１２が抜止本体２３に差し込まれることを回避している。また、第四連結部３４により、抜止本体２３の先端側の開口部を塞いでいる。加えて、第五連結部３５がθ方向の回り止めとして機能して、センサ本体１２のθ方向の回転を防いでいる。更に、第六連結部３６に信号線１４を巻き回すことで、第六連結部３６が信号線１４の抜け止めとして機能して、信号線１４を強く引っ張ったときの荷重を第六連結部３６に掛けて、測温部１６に係る荷重を低減している。
【００３７】
次いで、抜止本体２３の収納部２８に係止部材２４及び弾性部材２５を設置する。具体的に、弾性部材２５は長穴２８ａの内部に配置されて、ｘ方向の両端部が段差２８ｂに設置される。弾性部材２５は、長穴２８ａによりｘ方向の移動とｙ方向の移動とが規制されて、ｚ方向の弾性変形のみが許可されている。
【００３８】
次いで、抜止本体２３の末端と保護部材２６の先端とを連結する。このとき、第七連結部３７（３７ａ、３７ｂ）がθ方向の回り止めとして機能して、保護部材２６のθ方向の回転を防いでいる。
【００３９】
次いで、把手１１の先端に、信号線１４、保護部材２６、及び抜止本体２３の順に末端側から抜止本体２３を挿入する。このとき、係止部材２４が把手１１の内筒面に接触して弾性部材２５のｘ方向中央部のｚ方向下側への弾性変形によりＲ方向内側に引っ込んだ状態になる。このとき、係止部材２４には、弾性部材２５からｚ方向上側に向かう付勢力が付与される。
【００４０】
次いで、抜止本体２３の把手１１への挿入が更に進み、係止部材２４と貫通孔２１との位置が合うと、弾性部材２５の弾性変形が解除されて係止部材２４が抜止本体２３の外筒面からｚ方向上側に出っ張り、貫通孔２１に挿入される。これにより、抜止本体２３が把手１１に固定された状態になる。
【００４１】
係止部材２４が貫通孔２１に挿入して、係止部材２４がｘ方向の抜け止め及びθ方向の回り止めの両方として機能することで、抜止本体２３の抜き差しや回転を防いでいる。特に、係止部材２４の根本を先端よりも拡径して貫通孔２１に挿入不能にすることで、係止部材２４の根本が貫通孔２１の開口周縁に押し付けられることになる。これにより、係止部材２４を貫通孔２１に対して容易に挿抜可能にしても、把手１１に対して抜止本体２３の弛緩を低減することができる。また、抜止本体２３が把手１１に対して入れ子構造を成すことで、把手１１に対して抜止本体２３の弛緩を低減している。
【００４２】
加えて、第一連結部３１（３１ａ、３１ｂ）と第三連結部３３（３３ａ、３３ｂ）とがｘ方向の抜け止めとして機能して、把手１１からの抜止本体２３の抜き差しを防いでいる。また、第二連結部３２（３２ａ、３２ｂ）がθ方向の回り止めとして機能して、把手１１に対して抜止本体２３のθ方向の回転を防いでいる。また、第一連結部３１により、把手１１の先端側の開口部を塞いでいる。
【００４３】
次いで、信号線１４の末端にコネクタ１５を取り付けて、コネクタ１５を被覆材で被覆
して、この温度計１０の組み立て方法が完了する。
【００４４】
上記の温度計１０は、抜止本体２３を把手１１に挿入するときに、係止部材２４が把手１１の内筒面に当接して弾性部材２５をｚ方向下方に弾性変形させて、係止部材２４が抜止本体２３のｚ方向下方に引き込むことで、抜止本体２３が抜き差し自在の状態になる。また、温度計１０は、抜止本体２３を把手１１から抜去するときに、貫通孔２１の外側から係止部材２４を押下して弾性部材２５をｚ方向下方に弾性変形させて、係止部材２４が貫通孔２１から抜け出て抜止本体２３のｚ方向下方に引き込むことで、抜止本体２３が抜き差し自在の状態になる。
【００４５】
一方で、温度計１０は、抜止本体２３を把手１１に固定するときに、貫通孔２１と係止部材２４との位置を合わせて弾性部材２５の弾性変形を解除することで、係止部材２４が抜止本体２３のｚ方向上方に突出して貫通孔２１に挿入し、抜止本体２３が把手１１に固定可能な状態になる。
【００４６】
以上のように、温度計１０は、ネジを用いずに、把手１１の先端からセンサ本体１２が張り出した状態を組み立てることができる。これにより、把手１１の外表面に形成される穴や溝を小さくするには有利になり、把手１１自体に汚れが溜まらなくなり、常時、清潔な状態を保つことができる。
【００４７】
組み立てが完了した後の温度計１０は、外表面に貫通孔２１のみが存在する把手１１で、半割を組み合わせて構成される抜止本体２３の外筒面の大部分を覆っている。それ故、ネジを用いて組み立てられる温度計に比して、外表面に生じる部材どうしの隙間を低減することができる。これにより、清潔な状態を保つには有利になる。
【００４８】
また、温度計１０は、組み立てが完了した状態から係止部材２４をｚ方向下側に押圧することで、容易に抜止本体２３を把手１１から抜去することが可能になる。それ故、径の異なるセンサ本体１２を交換するには有利になる。
【００４９】
温度計１０は、抜止本体２３の先端側が、θ方向の全域に渡ってＲ方向外側に突出して、抜止本体２３が把手１１に固定されたときにその把手１１の先端を覆うことが望ましい。具体的に、実施形態の温度計１０では、抜止本体２３の先端の第一連結部３１ｂが把手１１の先端の開口部と第一連結部３１ａとをｘ方向に見て見えないように塞いでいる。これにより、把手１１の先端に汚れが溜まることを防ぐには有利になる。
【００５０】
温度計１０は、弾性部材２５を介して係止部材２４が抜止本体２３に連結されると共にｚ方向上下に移動可能に構成されていればよく、抜止本体２３と弾性部材２５とを一体的に形成してもよく、係止部材２４を弾性部材２５のｘ方向の一端に配置してもよい。
但し、弾性部材２５がｘ方向に延在する板バネで構成されて、係止部材２４が弾性部材２５のｘ方向中央部に配置されることが望ましい。係止部材２４を弾性部材２５のｘ方向中央部に配置することで、温度計１０の組み立てに際して、抜止本体２３を把手１１に挿入するときに、弾性部材２５の両端部のそれぞれを弾性変形させることができる。これにより、抜止本体２３を把手１１に挿入するときに弾性部材２５から係止部材２４に掛かる付勢力を最大限大きくして、係止部材２４が貫通孔２１に挿入されない事態を回避するには有利になる。また、係止部材２４がｚ方向上下以外に動くことを規制するにも有利になる。
【００５１】
既述した実施形態で、センサ本体１２、嵌合部材２２、及び抜止本体２３のそれぞれを別体で構成したが、幾つかを一体に構成してもよい。例えば、嵌合部材２２は、センサ本体１２からＲ方向外側に突出した部位であればよく、センサ本体１２と嵌合部材２２とが
一体に形成されてもよい。また、センサ本体１２の末端に抜止本体２３を直接接合してもよい。
【００５２】
また、保護部材２６や各連結部３１〜３７は、必要に応じて省くこともできる。例えば、係止部材２４が貫通孔２１に挿入された状態で、抜止本体２３が把手１１に対して弛緩していなければ、第二連結部３２を省いてもよい。また、保護部材２６を省く場合は、第三連結部３３及び第七連結部３７を省くことが可能になる。
【００５３】
既述した実施形態で、組み立てたときに、外側に形成される各部材の継ぎ目を、シリコンボンドなどの接着剤により埋めてもよい。継ぎ目を埋めることで、防水性を向上するには有利になる。なお、組み立て後に温度計１０を分解する機会が無い場合に、貫通孔２１も埋めると防水性の向上には有利になる。
【符号の説明】
【００５４】
１０  温度計
１１  把手
１２  センサ本体
１３  温度検知素子
２１  貫通孔
２３  抜止本体
２４  係止部材
２５  弾性部材
【図１】
2018205049.tif 000003
【図２】
2018205049.tif 000004
【図３】
2018205049.tif 000005
【図４】
2018205049.tif 000006
【図５】
2018205049.tif 000007
【図６】
2018205049.tif 000008
【図７】
2018205049.tif 000009
【図８】
2018205049.tif 000010